(57)【要約】【課題】被写体の成長を簡便に振り返ることができる。【解決手段】撮像装置は、主要被写体の成長を記録するモードを有し、モードで主要被写体を撮影したとき、撮影画像データと、撮影画像データにアクセスするためのアクセス情報と撮影日時情報とを含む成長記録データとを記録する情報記録手段と、情報記録手段に記録された撮影画像データの中から基準画像データを選択する基準画像選択手段と、再生用画像データとして、基準画像データの主要被写体と同一の主要被写体を含む画像データをアクセス情報に基づいて撮影画像データの中から選択する再生画像選択手段と、撮影日時情報に基づいて、基準画像データと再生用画像データとを時系列に再生する再生手段と、を備える。【選択図】図１
2015043496.tif 000002
【特許請求の範囲】
【請求項１】
主要被写体の成長を記録するモードを有する撮像装置であって、
前記モードで前記主要被写体を撮影したとき、撮影画像データと、前記撮影画像データにアクセスするためのアクセス情報と撮影日時情報とを含む成長記録データとを記録する情報記録手段と、
前記情報記録手段に記録された前記撮影画像データの中から基準画像データを選択する基準画像選択手段と、
再生用画像データとして、前記基準画像データの主要被写体と同一の主要被写体を含む画像データを前記アクセス情報に基づいて前記撮影画像データの中から選択する再生画像選択手段と、
前記撮影日時情報に基づいて、前記基準画像データと前記再生用画像データとを時系列に再生する再生手段と、
を備えることを特徴とする撮像装置。
【請求項２】
請求項１に記載の撮像装置において、
前記情報記録手段は、前記モードで撮影された画像から前記主要被写体の所定部位を検出して、前記所定部位に関する部位情報を前記撮影画像データと共に記録することを特徴とする撮像装置。
【請求項３】
請求項２に記載の撮像装置において、
前記部位情報は、前記モードで撮影された画像中の前記所定部位の位置と前記所定部位のサイズとを含み、
前記再生手段は、前記所定部位の表示サイズと表示位置が前記基準画像データの画像と一致するように前記部位情報に基づいて前記再生用画像データの画像を補正して、前記基準画像データと補正後の前記再生用画像データとを時系列に再生することを特徴とする撮像装置。
【請求項４】
請求項２または３に記載の撮像装置において、
前記部位情報は、前記所定部位の向きに関する情報をさらに含み、
前記再生画像選択手段は、前記部位情報に含まれる前記所定部位の向きに関する情報が前記基準画像データの部位情報と一致する画像データを前記再生用画像データとして選択することを特徴とする撮像装置。
【請求項５】
請求項１から４のいずれか一項に記載の撮像装置において、
前記再生画像選択手段は、前記撮影日時情報が前記基準画像データの撮影日時情報と所定時間単位で異なる画像データを前記情報記録手段に記録された前記撮影画像データの中から前記再生用画像データとして選択することを特徴とする撮像装置。
【請求項６】
請求項１から５のいずれか一項に記載の撮像装置において、
前記再生手段は、前記基準画像データと前記再生用画像データとを再生するとき、前記主要被写体の背景画像をぼかして表示することを特徴とする撮像装置。
【請求項７】
請求項１から６のいずれか一項に記載の撮像装置において、
前記主要被写体に対応する言葉を登録する言葉登録手段と、
前記撮像装置の周囲の音声を集音する集音手段と、
前記言葉登録手段に登録された前記言葉を前記集音手段で集音したとき、前記モードに設定する自動設定手段と、
をさらに備えることを特徴とする撮像装置。
【請求項８】
主要被写体の成長を記録するモードで前記主要被写体を撮影した撮影画像データと、前記撮影画像データにアクセスするためのアクセス情報と撮影日時情報とを含む成長記録データとが記録された記録媒体から基準画像データを選択する基準画像選択工程と、
再生用画像データとして、前記基準画像データの主要被写体と同一の主要被写体を含む画像データを前記アクセス情報に基づいて前記撮影画像データの中から選択する再生画像選択工程と、
前記撮影日時情報に基づいて、前記基準画像データと前記再生用画像データとを表示部に時系列に再生する再生工程と、
をコンピュータに実行させることを特徴とする再生プログラム。
【請求項９】
請求項８に記載の再生プログラムにおいて、
前記撮影画像データは、画像中の前記所定部位の位置と前記主要被写体の所定部位のサイズとに関する部位情報と共に前記記録媒体に記録されており、
前記再生工程では、前記部位情報に基づいて、前記所定部位の表示サイズと表示位置が前記基準画像データの画像と一致するように前記再生用画像データの画像を補正して、前記基準画像データと補正後の前記再生用画像データとを前記表示部に時系列に再生することを特徴とする再生プログラム。
【請求項１０】
請求項９に記載の再生プログラムにおいて、
前記部位情報は、前記所定部位の向きに関する情報をさらに含み、
前記再生画像選択工程では、前記部位情報に含まれる前記所定部位の向きに関する情報が前記基準画像データの部位情報と一致する画像データを前記再生用画像データとして前記記録媒体から選択することを特徴とする再生プログラム。
【請求項１１】
請求項８から１０のいずれか一項に記載の再生プログラムにおいて、
前記再生画像選択工程では、対応する前記撮影日時情報が前記基準画像データの撮影日時情報と所定時間単位で異なる画像データを前記記録媒体から前記再生用画像データとして選択することを特徴とする再生プログラム。
【請求項１２】
請求項８から１１のいずれか一項に記載の再生プログラムにおいて、
前記再生工程では、前記基準画像データと前記再生用画像データとを再生するとき、前記主要被写体の背景画像をぼかして表示することを特徴とする再生プログラム。
【発明の詳細な説明】
【技術分野】
【０００１】
本発明は、被写体の成長を記録するモードを有する撮像装置と、再生プログラムとに関する。
【背景技術】
【０００２】
子供の成長を記録することができる撮影装置が知られている（特許文献１）。特許文献１に記載の撮影装置では、子供の生年月日を予め登録しておき、その生年月日から撮影日までの経過年月を撮影画像に合成して、記録媒体に記録する。
【先行技術文献】
【特許文献】
【０００３】
【特許文献１】特開２００５−１０９５６９号公報
【発明の概要】
【発明が解決しようとする課題】
【０００４】
特許文献１の発明では、成長記録として作成した撮影画像が記録媒体の中で他の撮影画像と混在してしまい、子供の成長記録を再生する際に成長記録用の撮影画像を探す必要がある。本課題は、人間の子供の成長記録だけに限らず、いかなる被写体の成長記録を作成する場合にも存在する。また、特許文献１の発明では、成長記録として作成した撮影画像を単に表示するだけであり、被写体の成長の過程がわかり難い。
【課題を解決するための手段】
【０００５】
本発明の一態様に係る撮像装置は、撮像装置は、主要被写体の成長を記録するモードを有する撮像装置であって、モードで主要被写体を撮影したとき、撮影画像データと、撮影画像データにアクセスするためのアクセス情報と撮影日時情報とを含む成長記録データとを記録する情報記録手段と、情報記録手段に記録された撮影画像データの中から基準画像データを選択する基準画像選択手段と、再生用画像データとして、基準画像データの主要被写体と同一の主要被写体を含む画像データをアクセス情報に基づいて撮影画像データの中から選択する再生画像選択手段と、撮影日時情報に基づいて、基準画像データと再生用画像データとを時系列に再生する再生手段と、を備えることを特徴とする。
【０００６】
本発明の別の一態様による再生プログラムは、主要被写体の成長を記録するモードで主要被写体を撮影した撮影画像データと、撮影画像データにアクセスするためのアクセス情報と撮影日時情報とを含む成長記録データとが記録された記録媒体から基準画像データを選択する基準画像選択工程と、再生用画像データとして、基準画像データの主要被写体と同一の主要被写体を含む画像データをアクセス情報に基づいて撮影画像データの中から選択する再生画像選択工程と、撮影日時情報に基づいて、基準画像データと再生用画像データとを表示部に時系列に再生する再生工程と、をコンピュータに実行させることを特徴とする。
【発明の効果】
【０００７】
本発明によれば、被写体の成長を簡便に振り返ることができる。また、本発明によれば、成長記録の再生の際、被写体の成長の過程の観察を容易になる。
【図面の簡単な説明】
【０００８】
【図１】本発明の一実施の形態による撮像装置の構成例を示すブロック図である。
【図２】被写体データベース用の登録画面の一例を示す図である。
【図３】成長記録データの一例を示す図である。
【図４】成長記録再生メニュー画面の一例を示す図である。
【図５】関連画像の追加に関する画面の一例を示す図である。
【図６】再生方法選択画面の一例を示す図である。
【図７】分割表示よる成長記録の再生について説明するための図である。
【図８】全画像表示による成長記録の再生について説明するための図である。
【図９】全画像表示による成長記録の再生について説明するための図である。
【図１０】全画像表示による成長記録の再生について説明するための図である。
【図１１】タイムラプスによる成長記録の再生について説明するための図である。
【図１２】スライドショーによる成長記録の再生について説明するための図である。
【図１３】成長記録に画像データを追加する操作について説明するための図である。
【図１４】成長記録モードに関する撮像装置の動作の一例を示すフローチャートである。
【図１５】タイムラプスにより成長記録を再生する場合の処理に関するフローチャートである。
【図１６】プログラム製品を提供するために用いる機器の全体構成を説明する図である。
【発明を実施するための形態】
【０００９】
図１は、本発明の一実施の形態による撮像装置の構成例を示すブロック図である。図１に例示される電子カメラ１は、動物の成長または植物の生長を記録するための成長記録モードを有する。以降の説明では、動物、特に人間の成長を記録する場合について説明する。また、成長を記録する対象を被写体または対象被写体と記載し、特に背景と区別するときには主要被写体と呼ぶ。
【００１０】
電子カメラ１は、撮影レンズ１０と、絞り１１と、レンズ駆動部１２と、絞り駆動部１３と、撮像部１４と、画像処理部１５と、制御部１６と、ＲＡＭ１７と、フラッシュメモリ１８と、記録部１９と、表示部２０と、操作部２１と、集音部２２とを備える。
【００１１】
撮影レンズ１０は、ズームレンズやフォーカシングレンズを含む複数のレンズ群で構成される。なお、図１では、撮影レンズ１０は単レンズとして図示されている。フォーカシングレンズは、焦点調節動作時にレンズ駆動部１２により駆動される。
【００１２】
絞り１１は、複数枚の絞り羽根（不図示）から形成され、撮像部１４に導く光量を調整する。絞り駆動部１３は、制御部１６が設定した絞り値に基づいて、絞り羽根（不図示）を駆動する。
【００１３】
撮像部１４は、撮像素子とアナログ信号処理回路とＡ／Ｄ変換回路とを有する。撮像部１４は、被写体像を撮像して、撮像画像を出力する。画像処理部１５は、撮像部１４から撮像画像を取り込み、ＲＡＭ１７を作業領域として用いて、画像の拡大、縮小、水平移動、画像合成、画像圧縮、ホワイトバランスの調整などの画像処理を行うことができる。
【００１４】
制御部１６は、マイクロコンピュータなどによって構成され、ＲＡＭ１７を作業領域として用いてフラッシュメモリ１８等の不揮発性の記憶媒体に記憶されているプログラムを実行して、電子カメラ１の各部を制御する。
【００１５】
フラッシュメモリ１８には、制御部１６が実行するプログラムと、成長記録モードにおいて成長を記録する被写体が登録された被写体データベース２４が記憶されている。被写体データベース２４には、成長記録モードにおいて成長を記録する被写体について、名前と、生年月日と、呼び名等のキーワードと、顔画像とが登録される。
【００１６】
記録部１９には、記録媒体２３が着脱可能に装着される。記録部１９は、画像処理部１５が画像圧縮して生成したＥＸＩＦ（登録商標）形式の記録用画像を記録媒体２３に記録する。
【００１７】
表示部２０は、たとえば電子カメラ１の背面に設けられた液晶モニタなどであって、後述する電子カメラ１の操作画面、スルー画像、被写体の成長を記録した撮影画像などを表示することができる。
【００１８】
操作部２１は、レリーズスイッチなどの操作部材で構成される。操作部２１の各部が操作されると、対応した操作信号が制御部１６に出力される。
集音部２２は、電子カメラ１の周囲環境の音声を集音する。
【００１９】
（被写体データベース２４）
図２は、被写体データベース２４に被写体に関する情報を新規登録する場合や登録情報を編集する場合に用いる登録画面の一例を示す図である。図２に例示された登録画面３０には、被写体の名前の登録に用いる名前欄３１と、生年月日の登録に用いる生年月日欄３２と、キーワードの登録に用いるキーワード欄３３と、被写体の顔画像の登録に用いる画像登録欄３４と、確定ボタン３５とが表示されている。図２では、登録画面３０の各欄に２０１１年１月９日に生まれた人間の子供であるイチロウに関する情報が入力されている。
【００２０】
キーワード欄３３には、初期状態では名前欄３１に登録された名前が自動的に入力されている。ユーザは、操作部２１を用いて、登録対象の被写体を呼ぶときに用いる呼び名等を入力する。
【００２１】
被写体データベース２４に被写体の顔画像を新規登録する際は、ユーザが選択した撮像画像データから制御部１６が顔画像を抽出する。成長により被写体の顔が変化することが考えられるため、制御部１６は、被写体データベース２４に顔画像が新規登録された後、一定期間（たとえば、半年）ごとにユーザに顔画像の更新を促す。なお、被写体データベース２４に顔画像が登録されてから一定期間（たとえば、１年）が経過した場合、制御部１６が自動的に顔画像を更新することにしてもよい。
【００２２】
確定ボタン３５が選択されると、登録画面３０の各欄に入力された情報に基づいて、被写体の名前、生年月日、キーワード、および顔画像が被写体データベース２４に登録される。制御部１６は、被写体データベース２４に被写体が新規登録されると、その被写体に関する成長記録データを生成する。この成長記録データは、たとえばＸＭＬなどのマークアップ言語で生成される。
【００２３】
図３は、ＸＭＬで作成された成長記録データの一例を示す図である。図３に示すように、成長記録データ４０は、ヘッダー部４１と、画像リスト部４２とで構成される。ヘッダー部４１には、登録された被写体の登録ＩＤ、名前、生年月日が記録される。画像リスト部４２には、対象被写体に関する画像を撮影した撮影日に関する撮影日情報４２ａが記録されている。また、画像リスト部４２には、その撮影日に成長記録モードで撮影された画像データにアクセスするためのアクセス情報４２ｂ、たとえば画像データの相対パスが撮影日ごとにまとめて記録される。また、成長記録モードで撮影された被写体（図３の例ではイチロウ）の画像データに対しては、被写体の成長に関連深い画像、たとえば撮影当時に遊んでいた玩具の画像を関連付けることができる。このように成長記録モードで撮影された被写体の画像データに関連付けられた画像データのことを関連画像と呼ぶ。関連画像にアクセスするためのアクセス情報は、関連画像が関連付けられた撮影画像データのアクセス情報の下に設けられる関連画像リスト部４３に記録される。
【００２４】
成長記録データ４０は、記録媒体２３にＤＣＦ規格に従って作成された画像データとは別のフォルダに保存される。被写体の成長記録である画像データを被写体ごとにフォルダ分けして記録してしまうと、一つの画像を複数の被写体の成長記録に含める際に、画像データを複製する必要があり、記録媒体２３の記憶容量を圧迫してしまう。制御部１６は、画像データの相対パス情報が記録された成長記録データ４０を用いることにより、一つの画像データを複数の被写体の成長記録に含める際に画像データを複製する必要がない。
【００２５】
（成長記録モード）
電子カメラ１は、たとえば以下の条件（Ａ１）から（Ａ３）のいずれかを満たしたとき、成長記録モードへ遷移する。
（Ａ１）ユーザが操作部２１を用いて特定の対象被写体に関する成長記録モードに設定したとき
（Ａ２）被写体データベース２４に登録されているキーワードに関する音声を集音部２２が集音したとき
（Ａ３）スルー画像から抽出された顔画像が被写体データベース２４に登録されている顔画像と同一であるとき
【００２６】
撮影者が被写体、たとえば子供の成長を記録するとき、子供の名前、愛称、または呼び名を発声して、子供に電子カメラ１の方を向くように指示することがある。被写体データベース２４には、撮影者の呼び名等がキーワードとして登録されている。電子カメラ１は、集音部２２で撮影者が発生した音声を集音し、被写体データベース２４に登録されたキーワードと同一である場合は、自動的に成長記録モードに遷移する。これにより、撮影者が被写体の成長を記録する際に簡便に電子カメラ１を成長記録モードに遷移させることができる。
【００２７】
また、電子カメラ１は、スルー画像から抽出された顔画像が被写体データベース２４に登録されている顔画像と同一であるとき、成長記録モードに遷移する。たとえば、被写体データベース２４に顔画像が登録されている子供が電子カメラ１の方を向いたとき、電子カメラ１は、スルー画像からその子供の顔画像を検出して、成長記録モードに遷移する。これにより、撮影者が被写体の成長を記録する際に簡便に電子カメラ１を成長記録モードに遷移させることができる。
【００２８】
制御部１６は、電子カメラ１が成長記録モードへ遷移すると、成長を記録する対象被写体の成長記録データ４０を読み出す。条件（Ａ１）を満たして成長記録モードへ遷移した場合、たとえば被写体データベース２４に登録されている被写体の中から対象被写体をユーザに選択させて、その対象被写体の成長記録データ４０を読み出す。条件（Ａ２）を満たして成長記録モードへ遷移した場合、集音部２２により集音されたキーワードが登録されている動物を対象被写体として、その成長記録データ４０を読み出す。条件（Ａ３）を満たして成長記録モードへ遷移した場合、顔画像が抽出されている被写体を対象被写体として、その成長記録データ４０を読み出す。
【００２９】
人間の子供を撮影する場合、屋内で撮影されることが多い。成長記録モードでは、手ぶれ、被写体ぶれを考慮して、シャッタスピードが高速に設定され、絞り１１の絞り値が開放に設定される。また、本来はフラッシュを用いて撮影するような暗い撮影場所で撮影する場合であっても、制御部１６は、フラッシュを発光させずにＩＳＯ感度を上げる。
【００３０】
成長記録モードでは、画像を撮影したとき、制御部１６は、撮影日と撮影により生成された画像データの相対パスとを対象被写体の成長記録データ４０の画像リスト部４２に記録する。また、制御部１６は、成長記録モードで画像を撮影したとき、ＥＸＩＦ形式の画像データにメタデータとして対象被写体の顔画像の中心座標と、対象被写体の顔画像の縦横のサイズと、対象被写体の顔の向きとを付与する。制御部１６は、画像データに対して顔検出処理を行うことで、対象被写体の顔画像の中心座標と、顔画像の縦横のサイズと、顔の向きとを算出する。以降、画像データにメタデータとして保存される対象被写体の顔画像の中心座標と、対象被写体の顔画像の縦横のサイズと、対象被写体の顔の向きに関する情報のことを顔データ情報と呼ぶ。
【００３１】
（関連画像の追加）
対象被写体の成長記録として撮影した画像データに対して他の画像データを関連付ける方法について説明する。ユーザが操作部２１を用いて所定の操作を行うと、図４に示すような成長記録再生メニュー画面５０が表示される。成長記録再生メニュー画面５０には、対象被写体を選択する操作を行うための被写体ボタン５１と、後述する成長記録の追加操作を行うための成長記録の追加ボタン５２と、画像データへの関連付け操作を行うための関連画像の追加ボタン５３と、成長期記録を再生するための再生方法ボタン５４と、決定ボタン５５とを有する。
【００３２】
ユーザが被写体ボタン５１を選択すると、被写体データベース２４に登録されている被写体の名前が列挙される。列挙された被写体の名前の中からユーザが対象被写体を選択した後に関連画像の追加ボタン５３を選択すると、制御部１６は、対象被写体の成長記録データ４０に記録されている撮影画像データの一覧を表示部２０に表示する。ユーザが撮影画像データの一覧から関連画像を関連付ける画像データを選択すると、図５（ａ）に例示するような関連画像追加画面６０ａが表示される。なお、対象被写体の成長記録データ４０に記録されている撮影画像データの一覧を表示部２０に表示する際、画像データを撮影したときの撮影日時に関する情報やサムネイル画像を撮影画像データと共に表示することが好ましい。このようにすることで、ユーザが関連画像を関連付けたい画像データを探すことが容易となる。また、対象被写体の成長記録データ４０に記録されている撮影画像データの一覧から日付等を指定して選択の候補となる撮影画像データを絞り込めるようにしてもよい。
【００３３】
図５（ａ）の関連画像追加画面６０ａには、以下のものが表示されている。
〔１〕関連画像を関連付ける画像データを表示する画像表示部６１ａ
〔２〕対象被写体の名前が表示される名前表示部６１ｂ
〔３〕画像表示部６１ａに表示されている画像が撮影された当時の対象被写体の生後日数が表示される生後日数表示部６１ｃ
〔４〕画像コメントの設定に用いるコメント入力欄６２
〔５〕関連画像を追加する操作を行うための追加ボタン６４
【００３４】
ユーザが追加ボタン６４を選択すると、図５（ｂ）に例示されるような関連画像選択画面６０ｂが表示部２０に表示される。関連画像選択画面６０ｂには、記録媒体２３に記録されている画像データのサムネイル画像６５と、選択ボタン６６と、確定ボタン６７とが表示されている。関連画像選択画面６０ｂにサムネイル画像６５が表示される画像は、たとえば、画像表示部６１ａに表示されている画像と撮影日時が近い画像が表示される。図５（ａ）のように画像表示部６１ａに表示されている画像が対象被写体の誕生日の画像の場合、関連画像選択画面６０ｂには、たとえば誕生日にプレゼントを撮影した画像などが表示される。ユーザが関連画像として関連付けたい画像データのサムネイル画像６５、たとえばプレゼントを撮影した画像を選択して、選択ボタン６６を選択すると、選択した画像のサムネイル画像６５の左肩にチェックマーク６８が付される。ユーザが確定ボタン６７を選択すると、対象被写体の成長記録データ４０の関連画像リスト部４３（図３）にチェックマーク６８が付されている画像データの相対パスが追加されると共に、図５（ｃ）に示す関連画像追加画面６０ｃが表示部２０に表示される。関連画像追加画面６０ｃでは、ユーザが図５（ｂ）の関連画像選択画面６０ｂで選択した画像が関連画像のサムネイル画像６３として追加されている。
【００３５】
成長記録モードで撮影された画像データに他の画像データを関連付けることにより、対象被写体に関する思い出深い画像についても成長記録データ４０で管理することができるようになる。
【００３６】
画像表示部６１ａに表示されている画像が対象被写体の誕生日に撮影された場合には、「ハッピーバースデー」などの所定コメントがコメント入力欄６２に予め入力される。ユーザがコメント入力欄６２を選択すると、コメント入力欄６２に表示されているコメントの追加、編集、または削除を行うことが可能となる。コメント入力欄６２に表示されているコメントは、画像表示部６１ａに表示されている画像の画像データにメタデータとして記録される。
【００３７】
（成長記録の再生）
電子カメラ１が上述した成長記録モードで撮影した画像データ（成長記録）を再生する方法について説明する。図４の成長記録再生メニュー画面５０において、ユーザが被写体ボタン５１を選択して、対象被写体を選択した後に成長記録を再生するための再生方法ボタン５４を選択すると、図６に例示するような再生方法選択画面７０が表示部２０に表示される。再生方法選択画面７０は、成長記録モードで撮影した画像データを再生表示させる方法を選択するための画面である。再生方法選択画面７０には、以下のものが表示されている。
〔１〕成長記録モードで撮影した画像データを再生表示する方法として分割表示を選択するための分割表示ボタン７１
〔２〕成長記録モードで撮影した画像データを再生表示する方法として全画像表示を選択するための全画像表示ボタン７２
〔３〕成長記録モードで撮影した画像データを再生表示する方法としてタイムラプス再生を選択するためのタイムラプスボタン７３
〔４〕成長記録モードで撮影した画像データを再生表示する方法としてスライドショー再生を選択するためのスライドショーボタン７４
〔５〕確定ボタン７５
【００３８】
（分割表示による再生）
ユーザが図６の分割表示ボタン７１を選択して、図６の確定ボタン７５を選択すると、図４の成長記録再生メニュー画面５０に戻る。ユーザがさらに図４の確定ボタン５５を選択すると、分割表示により再生する画像データを選択する画面が表示される。画像データを選択する画面では、対象被写体の成長記録データ４０に記録されている画像データの一覧が表示される。この画像データの一覧には、画像データを撮影したときの撮影日時に関する情報やサムネイル画像を撮影画像データと共に表示することが好ましい。また、対象被写体の成長記録データ４０に記録されている撮影画像データの一覧から日付等を指定して選択の候補となる撮影画像データを絞り込めるようにしてもよい。ユーザが画像データの一覧から分割表示により再生する画像データを二つ選択すると、図７に例示するような分割表示画面８０が表示される。
【００３９】
図７の分割表示画面８０には、ユーザが選択した二つの画像データの再生画像８１ａおよび８２ａと、それらの画像データが撮影された当時の対象被写体の生後日数を表示する生後日数表示部８１ｂおよび８２ｂ、対象被写体の名前を表示する名前表示部８３とが含まれる。分割表示による再生により、ユーザは、所定年月日からの対象被写体の成長を容易に観察することができる。
【００４０】
生後日数表示部８１ｂおよび８２ｂに表示する生後日数は、制御部１６が被写体データベース２４に登録された対象被写体の生年月日と、成長記録データ４０に記録された撮影日とに基づいて算出する。
【００４１】
（全画像表示による再生）
ユーザが図６の全画像表示ボタン７２を選択して、図６の確定ボタン７５を選択すると、図４の成長記録再生メニュー画面５０に戻る。ユーザがさらに図４の確定ボタン５５を選択すると、図８に例示するような全画像表示画面９０が表示される。
【００４２】
全画像表示による再生では、対象被写体の成長記録データ４０に相対パスが記録されている画像データに関する情報をすべてカレンダー上に表示する。画像データを表示するカレンダーとしては、月めくり形式のカレンダーと、週めくり形式のカレンダーと、日めくり形式のカレンダーとの中からいずれかを選択することができる。
【００４３】
全画像表示画面９０には、対象被写体の名前を表示する名前表示部９１と、月めくり形式のカレンダーを選択するための月めくりタブ９２と、週めくり形式のカレンダーを選択するための週めくりタブ９３と、日めくり形式のカレンダーを選択するための日めくりタブ９４とが表示されている。
【００４４】
図８では、月めくりタブ９２がアクティブとなっており、２０１３年１月のカレンダー上に２０１３年１月中に成長記録として記録された画像データのサムネイル画像が表示されている。なお、同日に複数の画像データを撮影している場合は、その日に記録された画像データを代表する画像データのサムネイル画像が表示されている。たとえば、同日に成長記録モードで撮影された複数の画像データの中から成長記録データ４０に最も上に記録されている画像データのサムネイル画像を表示することにすればよい。
【００４５】
対象被写体「イチロウ」の誕生日である１月９日には、誕生日アイコン９５が表示されている。図８では、誕生日アイコン９５は星形をしているが、他の形状でもよい。
【００４６】
ユーザが月めくり形式のカレンダーの中から所望の日付を選択すると、その日付が太線で囲われ、カレンダーの右横に吹き出し９９が表示される。吹き出し９９には、選択された日付の表示９６と、その日付における対象被写体の生後日数の表示９７と、その日付に成長記録モードで撮影した画像データのサムネイル画像９８とが表示される。
【００４７】
ユーザが週めくりタブ９３を選択すると、週めくりタブ９３がアクティブとなり、図９に示すような第２の全画像表示画面１００が表示部２０に表示される。図９に例示する第２の全画像表示画面１００には、２０１３年１月第２週のカレンダー上に２０１３年１月第２週に成長記録として記録された画像データのサムネイル画像１０５が日付ごとに表示されている。たとえば、２０１３年１月７日月曜日に対応する月曜日欄１０１には、その日付および対象被写体の生後日数１０４ａと２個のサムネイル画像１０５とが表示されている。火曜日欄１０２には、２０１３年１月８日火曜日に成長記録が撮影されていないため、その日付および対象被写体の生後日数１０４ｂのみが表示されている。そして、２０１３年１月９日に対応する水曜日欄１０３には、日付および対象被写体の生後日数１０４ｃと、４個のサムネイル画像１０５とが表示されている。また、図９に示した例では、１月９日が対象被写体の誕生日であるため、水曜日欄１０３には誕生日アイコン９５が表示されている。
【００４８】
なお、図９では、週めくり形式のカレンダーが月曜日から順に表示されているが、１週間に撮影されたすべての成長記録を表示することができればいずれの曜日から順に曜日が並ぶように表示することにしてもよい。たとえば、日曜日から順に週めくり形式のカレンダーを表示することにしてもよい。
【００４９】
ユーザが日めくりタブ９４を選択すると、日めくりタブ９４がアクティブとなり、図１０に示すような第３の全画像表示画面１１０が表示部２０に表示される。図１０に例示する第３の全画像表示画面１１０には、２０１３年１月９日のカレンダー上にその日に成長記録として記録された画像データのサムネイル画像１１１が表示されている。また、図１０の例では、対象被写体の生後日数の表示１１２と、誕生日アイコン９５とが表示されている。
【００５０】
（タイムラプスによる再生）
ユーザが図６のタイムラプスボタン７３を選択して、図６の確定ボタン７５を選択すると、図４の成長記録再生メニュー画面５０に戻る。ユーザがさらに図４の確定ボタン５５を選択すると、対象被写体の成長記録データ４０に記録されている画像データの一覧が表示部２０に表示される。なお、対象被写体の成長記録データ４０に記録されている撮影画像データの一覧を表示部２０に表示する際、画像データを撮影したときの撮影日時に関する情報やサムネイル画像を撮影画像データと共に表示することが好ましい。また、対象被写体の成長記録データ４０に記録されている撮影画像データの一覧から日付等を指定して選択の候補となる撮影画像データを絞り込めるようにしてもよい。
【００５１】
ユーザが一覧表示された画像データの中から所定の画像データを選択すると、その画像データを基準画像として対象被写体の成長記録のタイムラプス再生が始まる。なお、タイムラプス再生とは、複数の静止画を連続した動画のように表示する再生方法である。本実施の形態では、基準画像から最新の撮影画像まで撮影日順に表示されるものとする。
【００５２】
制御部１６は、成長記録の画像リスト部４２に記録された基準画像の撮影日情報と、各画像データにメタデータとして保存された顔データ情報とに基づいて、以下に示す条件（Ｂ１）〜（Ｂ３）を満たすように画像データを再生用画像データとして抽出する。
（Ｂ１）対象被写体の成長記録に記録されている。
（Ｂ２）顔の向きに関する情報が基準画像と同一である。
（Ｂ３）画像データの撮影日が基準画像の撮影日から最新の画像データまでの間の画像データのうち、画像データの撮影日が基準画像の撮影日から所定時間単位（たとえば、１週間単位、１か月単位、半年単位）で離れている。たとえば、画像データの撮影日が基準画像の撮影日から１週間単位で離れた画像を抽出する場合、基準画像の撮影日から１週間、２週間、３週間、・・・離れた撮影日の画像をそれぞれ抽出する。また仮に、基準画像の撮影日から１週間離れた撮影日の画像が複数存在する場合、対象被写体の顔画像の中心座標と、対象被写体の顔画像の縦横のサイズが、基準画像に最も近い画像を抽出する。
【００５３】
次に、制御部１６は、抽出された再生用画像データの顔データ情報に基づいて、各画像に含まれる顔の位置とサイズとが基準画像と略同一になるように、画像の平行移動、拡大、縮小を行う。
【００５４】
たとえば、ユーザが図１１（ａ）に示す画像を基準画像として選択したとする。図１１（ａ）に示す基準画像１２０では、正面向きの対象被写体（イチロウ）の顔の画像が画像の中央に位置している。図１１（ｂ）および（ｃ）は、制御部１６が図１１（ａ）に示す基準画像１２０を用いて抽出した再生用画像データの再生例を示す。図１１（ｂ）に示す再生画像１２１は、図１１（ａ）の撮影日の半年後に撮影された再生用画像データであって、基準画像１２０と同様に対象被写体が正面を向いている。また、図１１（ｂ）では、顔の画像が画像の上方に位置すると共に、顔のサイズが基準画像１２０よりも小さい。図１１（ｃ）に示す再生画像１２２は、図１１（ｂ）の撮影日の半年後に撮影された再生用画像データであって、基準画像１２０と同様に対象被写体が正面を向いている。図１１（ｂ）では、顔の画像の位置は基準画像１２０と同様に中央に位置しているが、顔のサイズは基準画像１２０よりも大きい。
【００５５】
図１１（ｅ）は、図１１（ｂ）の再生画像１２１に含まれる顔画像の位置とサイズを基準画像１２０と略同一となるように補正した再生画像１２３を示す。制御部１６は、再生画像１２１に関する再生用画像データにメタデータとして付与されている顔のサイズを基準画像１２０の画像データに保存されている顔のサイズと略同一にするための倍率を算出する。また、制御部１６は、再生画像１２１の画像データにメタデータとして保存されている顔の位置を基準画像１２０の画像データに保存されている顔の位置と略同一にするために平行移動する移動量を算出する。制御部１６は、算出した移動量だけ図１１（ｂ）に示す再生画像１２１を平行移動させると共に、平行移動後の再生画像１２１を算出した倍率で拡大して、再生画像１２３を生成する。
【００５６】
図１１（ｆ）は、図１１（ｃ）の顔画像の位置とサイズが基準画像１２０と同一となるように補正した再生画像１２４を示す。制御部１６は、図１１（ｃ）に示す再生画像１２１を縮小し、顔のサイズを基準画像１２０と略同一にして、再生画像１２４を生成する。制御部１６は、画像全体を縮小することにより発生した余白部分に枠画像１２５を重畳させる。そして、再生用画像のうち少なくとも一つに枠画像１２５を重畳させた場合、基準画像１２０とすべての再生用画像に枠画像１２５を重畳させる。図１１（ｄ）は基準画像１２０に枠画像１２５を重畳した例であり、図１１（ｅ）は再生画像１２３に枠画像１２５を重畳した例である。
【００５７】
制御部１６は、基準画像から順番に再生用画像を撮影日順に時系列順に表示部２０に表示して、タイムラプス再生を行う。たとえば、図１１（ｄ）、図１１（ｅ）、図１１（ｆ）の３枚の画像でタイムラプス再生を行う場合、初めに基準画像を含む図１１（ｄ）を表示部２０に表示して、その後撮影日順に図１１（ｅ）、図１１（ｆ）の順番で表示する。
【００５８】
なお、タイムラプス再生では、基準画像１２０および再生用画像１２３および１２４の背景にぼかし処理を施すことが好ましい。背景をぼかすことにより、対象被写体がより強調される。
【００５９】
（スライドショーによる再生）
ユーザが図６のスライドショーボタン７４を選択して、図６の確定ボタン７５を選択すると、図４の成長記録再生メニュー画面５０に戻る。ユーザがさらに図４の確定ボタン５５を選択すると、対象被写体の成長記録データ４０に記録されている画像データの一覧が表示される。ユーザが一覧表示された画像データの中から所定の画像データを選択すると、その画像データを基準画像として選択し、基準画像から撮影日順に対象被写体の成長記録データ４０に記録されている画像データのスライドショー再生が始まる。
【００６０】
スライドショーによる再生であっても、制御部１６は、タイムラプス再生と同様に、上記の条件（Ｂ１）〜（Ｂ３）を満たすように再生用画像データを抽出する。スライドショーによる表示は、抽出した再生用画像データの画像中の顔画像の位置とサイズを基準画像と略同一に補正して表示部２０に表示するところはタイプラプス再生と同じである。
【００６１】
スライドショーによる再生では、分割表示による再生と同様に二つの画像を表示する。そして、ユーザが所定の操作を行った場合、または、所定時間（たとえば、３秒）が経過した場合に、次の画像表示に切り替わる。
【００６２】
図１２（ａ）および（ｂ）は、スライドショーによる再生の動作例を示す図である。図１２（ａ）に示す画面１３０ａには、基準画像１３１ａとその基準画像１３１ａの撮影日に対応する生後日数１３１ｂが左側に表示され、再生用画像１３２ａとその再生用画像１３２ａに対応する生後日数１３２ｂが右側に表示されている。再生用画像１３２ａは、顔の位置およびサイズが基準画像１３１ａと略同一になるように補正されている。
【００６３】
ユーザが所定の操作を行うと、図１２（ｂ）に示す画面１３０ｂに切り替わる。図１２（ｂ）では、再生用画像１３２ａとその再生用画像１３２ａに対応する生後日数１３２ｂが左側に移動し、画面右側には新たに再生用画像１３３ａとその再生用画像１３３ａに対応する生後日数１３３ｂが表示されている。次にユーザが所定の操作を行うと、再生用画像１３３ａとその再生用画像１３３ａに対応する生後日数１３３ｂが左側に移動し、画面右側に新たな再生用画像とそれに対応する生後日数が表示される。
【００６４】
このように分割表示形式でスライドショー再生を行うことにより、ユーザは複数の画像を比較しながら対象被写体の成長を確認することができ、非常にわかりやすい。
【００６５】
（成長記録の追加操作）
ユーザが図４の成長記録の追加ボタン５２を選択して、図４の確定ボタン５５を選択すると、成長記録データ４０に追加する画像を選択する画面が表示部２０に表示される。ユーザが成長記録データ４０に追加する画像を選択すると、図１３（ａ）に示す追加画面１４０ａが表示部２０に表示される。
【００６６】
成長記録モードで対象被写体の撮影画像を撮影すると、対象被写体の成長記録データ４０にその撮影画像が記録される。撮影画像に複数の被写体が写っている場合、たとえばイチロウとイチコが写っている場合に、イチロウに関する成長記録モードで撮影画像が撮影されたとき、イチコの成長記録データ４０にはその撮影画像データが記録されない。追加画面１４０ａは、このような場合に、イチコの成長記録データ４０に撮影画像を記録するための操作を行うための画面である。
【００６７】
追加画面１４０ａには、選択された画像１４１ａと、その画像１４１ａが記録されている対象被写体の名前の表示１４１ｂと、生後日数の表示１４２ａと、コメント欄１４３と、追加ボタン１４４とが表示されている。図１３（ａ）に示した例において、選択された画像には、対象被写体（たとえば、イチロウ）以外の動物（たとえば、イチコ）も写っている。
【００６８】
ユーザが追加ボタン１４４を選択すると、選択された画像１４１ａに対応する画像データを新たに他の対象被写体の成長記録データ４０に記録する対象被写体を選択するための追加対象選択画面１４０ｂが表示される。制御部１６は、以下の条件（Ｃ１）および（Ｃ２）を満たす被写体の名前を被写体データベース２４から抽出し、追加対象選択画面１４０ｂに表示する。なお、選択された画像１４１ａに対して被写体データベース２４に登録されている顔画像を用いて顔検出処理を行い、画像１４１ａに当該被写体の顔画像が含まれることをさらに条件に加えることにしてもよい。
（Ｃ１）当該被写体の名前等が被写体データベース２４に登録されている。
（Ｃ２）画像１４１ａが当該被写体の成長記録データ４０に記録されていない。
【００６９】
図１３（ｂ）の例では、名前の一覧１４５に「イチコ」が表示されている。また、追加対象選択画面１４０ｂの右下には、決定ボタン１４６が表示されている。ユーザが名前の一覧１４５から被写体の名前を選択して、決定ボタン１４６を選択すると、選択した被写体の成長記録データ４０に画像１４１ａの画像データが記録される。また、図１３（ｃ）に示すように、制御部１６は、対象被写体の名前の表示１４１ｂが新たな名前に切り替わった追加画面１４０ｃを表示する。
【００７０】
図１３（ａ）および（ｃ）のコメント欄１４３には、画像１４１ａの画像データにメタデータとして保存されたコメントが表示される。新たに追加した対象被写体に対しては別のコメントを付与する場合は、画像データをコピーして別のメタデータが付与された画像データとして扱う。
【００７１】
（電子カメラ１の動作フロー）
図１４は、成長記録モードに関する電子カメラ１の動作の一例を示すフローチャートである。
ステップＳ１００では、制御部１６は、ユーザが操作部２１を用いて成長記録モードに移行するための操作を行ったか否かを判定する。ユーザが成長記録モードに移行するための操作を行った場合、制御部１６は、ステップＳ１００を肯定判定して、ステップＳ１３０の処理に進む。ユーザが成長記録モードに移行するための操作を行っていない場合、制御部１６は、ステップＳ１００を否定判定して、ステップＳ１１０の処理に進む。
【００７２】
ステップＳ１１０では、制御部１６は、被写体データベース２４に登録されているキーワードに関する音声を集音部２２が集音したか否かを判定する。集音部２２が被写体データベース２４に登録されているキーワードに関する音声を集音した場合、制御部１６は、ステップＳ１１０を肯定判定して、ステップＳ１３０の処理に進む。集音部２２が被写体データベース２４に登録されているキーワードに関する音声を集音していない場合、制御部１６は、ステップＳ１１０を否定判定して、ステップＳ１２０の処理に進む。
【００７３】
ステップＳ１２０では、制御部１６は、被写体データベース２４に登録されている顔画像をスルー画像から検出したか否かを判定する。被写体データベース２４に登録されている顔画像をスルー画像から検出した場合、制御部１６は、ステップＳ１２０を肯定判定して、ステップＳ１３０の処理に進む。被写体データベース２４に登録されている顔画像をスルー画像から検出していない場合、制御部１６は、ステップＳ１２０を否定判定して、ステップＳ１００の処理に戻る。
【００７４】
ステップＳ１３０では、制御部１６は、電子カメラ１を成長記録モードに移行する。
ステップＳ１４０では、制御部１６は、レリーズ操作が行われたか否かを判定する。制御部１６は、レリーズ操作が行われるまでステップＳ１４０で待機し、レリーズ操作が行われたときステップＳ１５０の処理に進み、撮影動作を行う。
【００７５】
ステップＳ１５０では、制御部１６は、シャッタスピードを高速に、絞り１１の絞り値を開放に設定した状態で撮影して、ＥＸＩＦ形式の画像データを生成する。また、フラッシュを用いて撮影するような場面では、制御部１６は、フラッシュを発光させずにＩＳＯ感度を上げる。
【００７６】
ステップＳ１６０では、制御部１６は、ステップＳ１５０で撮影した画像の中から顔画像を検出する。
ステップＳ１７０では、制御部１６は、ステップＳ１６０で検出した顔画像について顔画像の中心座標と、対象被写体の顔画像の縦横のサイズと、対象被写体の顔の向きとを判断して、顔データ情報を生成する。
【００７７】
ステップＳ１８０では、制御部１６は、ステップＳ１５０で撮影し生成した画像データのメタデータとしてステップＳ１７０で生成した顔データ情報を保存し、記録媒体２３にその画像データを記録する。
【００７８】
ステップＳ１９０では、制御部１６は、成長記録モードでの撮影を終了するか否かを判定する。たとえば、ユーザが成長記録モードを終了する所定の操作を行った場合、ステップＳ１９０が肯定判定されて、ステップＳ１００の処理に戻る。ステップＳ１９０が否定判定された場合、たとえば、ユーザが成長記録モードを終了する所定の操作を行わなかった場合、ステップＳ１４０の処理に戻る。
【００７９】
（成長記録の再生）
図１５は、タイムラプスにより成長記録を再生する場合の処理に関するフローチャートである。図１５の処理が開始される前に、成長記録を再生する対象被写体は選択されており、その対象被写体の成長記録データ４０は読み出されているものとする。なお、スライドショーにより成長記録を再生する場合の処理に関するフローも同様である。
【００８０】
ステップＳ２００では、制御部１６は、表示部２０に基準画像の選択画面を表示する。制御部１６は、対象被写体の成長記録データ４０の画像リスト部４２に記録されている画像データを読み出して、基準画像の選択画面を生成して、表示部２０に表示する。
【００８１】
ステップＳ２１０では、制御部１６は、表示部２０に表示された選択画面から基準画像が選択されたか否かを判定する。制御部１６は、基準画像が選択されるまでステップＳ２１０で待機し、基準画像が選択されるとステップＳ２２０の処理に進む。
【００８２】
ステップＳ２２０では、制御部１６は、基準画像にメタデータとして付加されている顔データ情報と、基準画像の撮影日情報とに基づいて、再生用画像を選択する。たとえば、上述の条件（Ｂ１）〜（Ｂ３）が満たされる再生用画像を選択する。
【００８３】
ステップＳ２３０では、制御部１６は、基準画像の顔データ情報と再生用画像の顔データ情報とに基づいて、再生用画像中の顔の位置と顔のサイズを補正する。
ステップＳ２４０では、制御部１６は、基準画像および補正後の再生用画像の背景に対してぼかし処理を施す。
【００８４】
ステップＳ２５０では、制御部１６は、ステップＳ２３０で縮小した再生用画像があるか否かを判定する。制御部１６は、ステップＳ２３０で縮小した再生用画像がある場合はステップＳ２６０の処理に進み、ステップＳ２３０で縮小した再生用画像がない場合はステップＳ２７０の処理に進む。
【００８５】
ステップＳ２６０では、制御部１６は、枠画像１２５を選択する。たとえば、縮小した再生用画像の余白スペースのサイズに基づいて枠画像１２５を選択することにしてもよいし、ユーザに所望の枠画像１２５を選択させてもよい。
【００８６】
ステップＳ２７０では、制御部１６は、基準画像と補正後の再生用画像とを用いてタイムラプス再生を行う。ステップＳ２６０で枠画像１２５が選択された場合は、基準画像と補正後の再生用画像のすべてに枠画像１２５を重畳して再生する。
【００８７】
以上説明した実施の形態によれば、以下の作用効果が得られる。
（１）  電子カメラ１は、成長記録モードを有する撮像装置であって、制御部１６と、記録部１９と、表示部２０とを備える。記録部１９は、制御部１６の制御に従って、成長記録モードで被写体を撮影したときに、撮影画像データと、撮影画像データの相対パスと撮影日時情報とを含む成長記録データ４０（図３）とを記録媒体２３に記録する。制御部１６は、記録部１９により記録媒体２３に記録された撮影画像データの中から基準画像データを選択する（図１５のステップＳ２１０）。
また、制御部１６は、再生用画像データとして、対象被写体が基準画像データと同一である画像データを成長記録データ４０に相対パスが記録されている撮像画像データの中から選択する（図１５のステップＳ２２０）。制御部１６は、成長記録モードに記録されている基準画像データおよび再生用画像データの撮影日に基づいて、基準画像と再生画像とを時系列に表示部２０に表示する（図１５のステップＳ２７０）。
電子カメラ１は、成長記録データ４０を用いて撮影画像データを管理しているため、成長記録モードで撮影した撮影画像データを探す必要が無く、被写体の成長記録を簡便に振り返ることができる。
また、タイムラプスによる再生またはスライドショーによる再生では、成長記録データ４０に記録された撮影日時情報に基づいて、時系列順に撮影画像データを表示することができるため、被写体の成長をわかりやすく再生することができる。
【００８８】
（２）制御部１６は、成長記録モードで撮影された撮影画像から被写体の顔画像を検出して、撮影画像中の顔画像の位置、顔画像の縦横のサイズ、顔の向きに関する顔データ情報を生成する（図１４のステップＳ１７０）。制御部１６は、その顔データ情報をメタデータとして撮影画像データに付加して撮影画像データを記録媒体２３に記録する（図１４のステップＳ１８０）。電子カメラ１は、顔データ情報を生成することにより、タイムラプスまたはスライドショーにより再生する際に顔画像の位置、サイズを統一することができるようになる。タイムラプスまたはスライドショーによる再生では、基準画像と再生画像における顔画像の表示位置と表示サイズを基準画像と一致させることにより、被写体の成長の観察を容易にすることができる。
【００８９】
（３）再生用画像データを選択するとき、顔データ情報に含まれる顔の向きに関する情報が同一であるものを選択することにするので、タイムラプスまたはスライドショーによる再生時に被写体の成長の観察を容易にすることができる。
【００９０】
（４）再生用画像データを選択するときは、所定時間単位で画像データを選択するため、タイムラプスまたはスライドショーにおいて再生する画像の撮影時期が所定の時期に偏ることがなく、被写体の成長速度に忠実な再生を行うことができる。
【００９１】
（５）制御部１６は、タイムラプスまたはスライドショーによる再生において、再生する画像中の背景にぼかし処理を施すことにより、対象被写体の顔を強調する。
【００９２】
（６）電子カメラ１は、被写体データベース２４を記憶するフラッシュメモリ１８と、集音部２２とを備える。被写体データベース２４には、対象被写体の呼び名等がキーワードとして登録されている。電子カメラ１は、ユーザが発声したキーワードを集音部２２が集音したとき、成長記録モードに自動的に移行する（ステップＳ１１０  ＹＥＳ、ステップＳ１３０）。このように自動設定することで、たとえば被写体に電子カメラ１の方を向くように呼びかけた際にモード移行操作を行うことなしに自動的に成長記録モードに移行するため、撮影チャンスを逃す確率を減らすことができる。
【００９３】
以上説明した実施形態は、以下のように変形して実施できる。
（変形例１）  上記の実施の形態では、成長記録モードの電子カメラ１を用いて動物の被写体の成長を記録する場合について説明した。しかし、成長記録モードの電子カメラ１を用いて植物の生長を記録することにしてもよい。植物の生長を記録する場合、被写体データベース２４には、動物の顔画像の代わりに植物の花や葉など、植物の一部の部位の画像を登録することが好ましい。また、植物の被写体に対しては、顔検出の代わりに被写体データベース２４に登録した部位を検出することにすればよい。植物を対象被写体とした撮影画像データに対しては、顔データ情報をメタデータとして記憶する代わりに所定の部位の画像中の位置、サイズ、部位の向きをメタデータとして記憶することにすればよい。
【００９４】
（変形例２）  成長記録モードにおいて、撮影画像データと、成長記録データ４０とを記録する場所は、記録媒体２３だけに限定しない。たとえば、電気通信回線を介して電子カメラ１に接続する外部サーバ装置に撮影画像データと成長記録データ４０とを記録することにしてもよい。
【００９５】
（変形例３）  成長記録の再生は、電子カメラ１以外のコンピュータを用いて実行することにしてもよい。たとえば、パーソナルコンピュータを用いて実行することにしてもよい。パーソナルコンピュータで成長記録の再生を実行する場合、再生用のプログラムは、ＣＤ−ＲＯＭなどの記録媒体やインターネットなどのデータ信号を通じて提供することができる。図１６はその様子を示す図である。パーソナルコンピュータ４００は、ＣＤ−ＲＯＭ４０４を介してプログラムの提供を受ける。また、パーソナルコンピュータ４００は通信回線４０１との接続機能を有する。コンピュータ４０２は上記プログラムを提供するサーバーコンピュータであり、ハードディスク４０３などの記録媒体にプログラムを格納する。通信回線４０１は、インターネット、パソコン通信などの通信回線、あるいは専用通信回線などである。コンピュータ４０２はハードディスク４０３を使用してプログラムを読み出し、通信回線４０１を介してプログラムをパーソナルコンピュータ４００に送信する。すなわち、プログラムをデータ信号として搬送波を介して、通信回線４０１を介して送信する。このように、プログラムは、記録媒体やデータ信号（搬送波）などの種々の形態のコンピュータ読み込み可能なコンピュータプログラム製品として供給することができる。
【００９６】
（変形例４）  上記の実施の形態では、電子カメラ１は、撮影レンズ１０とカメラが一体的に形成された撮像装置として説明したが、カメラ本体と、そのカメラ本体に着脱可能な交換レンズとからなるカメラシステムとして構成してもよい。そのカメラシステムでは、図１に例示した電子カメラ１の構成のうち、撮影レンズ１０と絞り１１とが交換レンズの構成となり、他の構成がカメラ本体の構成となる。
【００９７】
（変形例５）  上記の実施の形態では、撮影日に関する情報と画像データの相対パスが成長記録データ４０の画像リスト部４２に含まれるものとしたが、画像リスト部４２の態様は図３に例示したものだけに限らない。たとえば、撮影時刻に関する情報が新たに画像リスト部４２に記録されることにしてもよいし、相対パスを絶対パスや外部サーバのリンク情報に変更してもよい。また、図１３（ａ）等のコメント欄１４３に入力されたコメントに関する情報が新たに画像リスト部４２に記録されることにしてもよい。
【００９８】
以上で説明した実施の形態や変形例はあくまで例示に過ぎず、発明の特徴が損なわれない限り本発明はこれらの内容に限定されない。また、以上で説明した実施の形態や変形例は発明の特徴が損なわれない限り組み合わせて実行してもよい。
【符号の説明】
【００９９】
１  電子カメラ
１５  画像処理部
１６  制御部
１８  フラッシュメモリ
１９  記録部
２０  表示部
２１  操作部
２２  集音部
２３  記録媒体
２４  被写体データベース
【図１】
2015043496.tif 000003
【図２】
2015043496.tif 000004
【図３】
2015043496.tif 000005
【図４】
2015043496.tif 000006
【図５】
2015043496.tif 000007
【図６】
2015043496.tif 000008
【図７】
2015043496.tif 000009
【図８】
2015043496.tif 000010
【図９】
2015043496.tif 000011
【図１０】
2015043496.tif 000012
【図１１】
2015043496.tif 000013
【図１２】
2015043496.tif 000014
【図１３】
2015043496.tif 000015
【図１４】
2015043496.tif 000016
【図１５】
2015043496.tif 000017
【図１６】
2015043496.tif 000018